(57)【特許請求の範囲】
【請求項１】
第１の溶液が入れられた第１の送液槽と、
前記第１の送液槽内の前記第１の溶液中に浸漬された第１の電極と、
第２の溶液が入れられた第２の送液槽と、
前記第２の送液槽内の前記第２の溶液内に浸漬された第２の電極と、
一端が相互に連通可能に連結されている第１乃至第３の管部を備え且つ前記第１乃至第３の管部の内側中心部に第３の電極が配置された三方ジョイント管と、
一端が前記第１の送液槽内の前記第１の溶液中に浸漬され且つ他端が前記三方ジョイント管の第１の管部の他端に連結された第１のキャピラリー管と、
一端が前記第２の送液槽内の前記第２の溶液中に浸漬され且つ他端が前記三方ジョイント管の第２の管部の他端に連結された第２のキャピラリー管と、
前記第１及び第２のキャピラリー管内に前記三方ジョイント管に向かう方向の電気浸透流を発生させるように、前記第１の電極と前記第３の電極との間及び前記第２の電極と前記第３の電極との間にそれぞれ所定の直流高電圧を印加する直流電源装置とを具備し、
前記第１及び第２のキャピラリー管は、内壁部に正又は負の電荷を保持したゲルが化学結合で固定されたフューズドシリカキャピラリーであり、
前記三方ジョイント管の前記第３の管部の他端から前記第１の溶液及び前記第２の溶液を混合した混合溶液を吐出することを特徴とする電気浸透流ポンプ。
【請求項２】
前記直流電源装置は、前記第１の電極と前記第３の電極との間に直流高電圧を印加する第１の直流電源と、前記第２の電極と前記第３の電極との間に直流高電圧を印加する第２の直流電源とを具備し、前記第１の直流電源及び第２の直流電源が別個に電圧調整可能であることを特徴とする請求項１に記載の電気浸透流ポンプ。
【請求項３】
第１の溶液がそれぞれ入れられた第１及び第２の送液槽と、
前記第１の送液槽内の前記第１の溶液中に浸漬された第１の電極と、
前記第２の送液槽内の前記第１の溶液中に浸漬された第２の電極と、
一端が前記第１の送液槽内の前記第１の溶液中に浸漬された第１のキャピラリー管と、
一端が前記第２の送液槽内の前記第１の溶液中に浸漬された第２のキャピラリー管と、
一端が相互に連通可能に連結されている第１乃至第３の管部を備え且つ前記第１及び第２のキャピラリー管のそれぞれの他端が前記第１及び第２の管部に接続されている第１の三方ジョイント管とを具備し、
前記第１及び第２のキャピラリーの内部にはそれぞれ極性の異なるゲルが化学結合で固定されており、
更に前記第１及び第２のキャピラリー管の内部に前記第１の三方ジョイント管に向かう方向の電気浸透流を発生させるように、前記第１の電極と前記第２の電極との間にそれぞれ所定の直流高電圧を印加する第１の直流電源を備えて構成された第１のポンプユニットと；
第２の溶液がそれぞれ入れられた第３及び第４の送液槽と、
前記第３の送液槽内の前記第２の溶液中に浸漬された第３の電極と、
前記第４の送液槽内の前記第２の溶液中に浸漬された第４の電極と、
一端が前記第３の送液槽内の前記第２の溶液中に浸漬された第３のキャピラリー管と、
一端が前記第４の送液槽内の前記第２の溶液中に浸漬された第４のキャピラリー管と、
一端が相互に連通可能に連結されている第１乃至第３の管部を備え且つ前記第３及び第４のキャピラリー管のそれぞれの他端が前記第１及び第２の管部に接続されている第２の三方ジョイント管とを具備し、
前記第３及び第４のキャピラリー管の内部にはそれぞれ極性の異なるゲルが化学結合で固定されており、
更に前記第３及び第４のキャピラリー管の内部に前記第２の三方ジョイント管に向かう方向の電気浸透流を発生させるように、前記第３の電極と前記第４の電極との間にそれぞれ所定の直流高電圧を印加する第２の直流電源を備えて構成された第２のポンプユニットと；
前記第１及び第２の三方ジョイント管の第３の管部からの出力をそれぞれ合わせて出力する連結出力管路とを具備することを特徴とする電気浸透流ポンプ。
【請求項４】
前記第１の直流電源及び第２の直流電源が別個に電圧調整可能であることを特徴とする請求項３に記載の電気浸透流ポンプ。
【請求項５】
前記連結出力管路が、一端が相互に連通可能に連結されている第１乃至第３の管部を備えた第３の三方ジョイント管と、
前記第１の三方ジョイント管の前記第３の管部と、前記第３の三方ジョイント管の前記第１の管部とを連結する第１の連結管と、前記第２の三方ジョイント管の前記第３の管部と前記第３の三方ジョイント管の前記第２の管部とを連結する第２の連結管とから構成されていることを特徴とする請求項３に記載の電気浸透流ポンプ。
【発明の詳細な説明】
【０００１】
【発明の属する技術分野】
本発明は、電気浸透流を利用して微小量の溶液を送液する電気浸透流ポンプに関するものである。
【０００２】
【従来の技術】
タンパク質、ペプチド、核酸など生態物質の微小分離分析に用いられているキャピラリー電気泳動装置やＨＰＬＣシステム等では、電気浸透流を利用して微小量の液体を送液する電気浸透流ポンプが用いられている。
【０００３】
図１（Ａ）及び（Ｂ）は、それぞれ従来の電気浸透流ポンプの構成を示している。図１（Ａ）の従来の電気浸透流ポンプは、溶液が入れられた送液槽１０１と、送液槽１０１内の溶液中に浸漬された第１の電極１０２と、一端が送液槽１０１内の溶液中に浸漬され且つ他端が突出口を構成するキャピラリー管１０３と、このキャピラリー管１０３の他端近傍の内周部に装着された第２の電極１０４と、キャピラリー管１０３内に送液槽１０１側からキャピラリー管１０３の他端側に向かう方向の電気浸透流を発生させるように、第１の電極と第２の電極との間に所定の直流高電圧を印加する直流電源装置１０５とを備えている。
【０００４】
また図１（Ｂ）の従来の電気浸透流ポンプは、溶液がそれぞれ入れられた第１及び第２の送液槽１０６及び１０７と、第１の送液槽１０６内の溶液中に浸漬された第１の電極１０８と、第２の送液槽１０７内の溶液中に浸漬された第２の電極１０９と、両端が第１及び第２の送液槽１０８及び１０９内にそれぞれ浸漬され途中に三方ジョイントからなる分岐部１１０を有する分岐部付きキャピラリー管１１１と、第１の電極１０８と第２の電極１０９との間に所定の直流高電圧を印加する直流電源装置１１２とを備えている。
【０００５】
【発明が解決しようとする課題】
図１（Ａ）及び（Ｂ）の従来の電気浸透流ポンプは、いずれも微小量の溶液の送液はできるものの、二つの液の混合液に連続的に組成変化をつけて送液すること（グラジェント送液）ができない問題がある。
【０００６】
本発明の目的は、グラジェント送液が可能な電気浸透流ポンプを提供することにある。
【０００７】
本発明の他の目的は、簡単な構成で、混合液に連続して組成変化をつけることができる電気浸透流ポンプを提供することにある。
【０００８】
【課題を解決するための手段】
本発明の電気浸透流ポンプは、第１の溶液が入れられた第１の送液槽と、第１の送液槽内の第１の溶液中に浸漬された第１の電極と、第２の溶液が入れられた第２の送液槽と、第２の送液槽内の第２の溶液内に浸漬された第２の電極と、送液路と電源装置とを備えている。送液路は、一端が相互に連通可能に連結されている第１乃至第３の管部を備え且つ前記第１乃至第３の管部の内側中心部に第３の電極が配置された三方ジョイント管と、一端が第１の送液槽内の第１の溶液中に浸漬され且つ他端が三方ジョイント管の第１の管部の他端に連結された第１のキャピラリー管と、一端が第２の送液槽内の第２の溶液中に浸漬され且つ他端が三方ジョイント管の第２の管部の他端に連結された第２のキャピラリー管とから構成される。電源装置としては、第１及び第２のキャピラリー管内に三方ジョイント管に向かう方向の電気浸透流を発生させるように、第１の電極と第３の電極との間及び第２の電極と第３の電極との間にそれぞれ所定の直流高電圧を印加する直流電源装置を用いる。そして本発明の電気浸透流ポンプは、三方ジョイント管の第３の管部の他端から、第１の溶液及び第２の溶液を混合した混合溶液を吐出する。本発明の電気浸透流ポンプによれば、第１の電極と第３の電極との間及び第２の電極と第３の電極との間にそれぞれ印加する直流高電圧を任意に調整することにより、第１の溶液と第２の溶液との混合比率を連続的に変えた混合液を微小量送液することができる（即ちグラジェント送液が可能になる）。
【０００９】
そこで直流電源装置としては、第１の電極と前記第３の電極との間に直流高電圧を印加する第１の直流電源と、第２の電極と前記第３の電極との間に直流高電圧を印加する第２の直流電源とを具備し、第１の直流電源及び第２の直流電源が別個に電圧調整可能なものを用いるのが好ましい。
【００１０】
使用するキャピラリー管としては、内壁部に正電荷または負電荷ゲルを固定したフューズドシリカキャピラリーを用いることができる。
【００１１】
グラジェント送液は、本発明の別の電気浸透流ポンプを用いても得ることができる。本発明の別の電気浸透流ポンプは、第１のポンプユニットと、第２のポンプユニットと、連結出力管路とから構成される。
【００１２】
第１のポンプユニットは、第１の溶液がそれぞれ入れられた第１及び第２の送液槽と、第１の送液槽内の第１の溶液中に浸漬された第１の電極と、第２の送液槽内の第１の溶液中に浸漬された第２の電極と、一端が第１の送液槽内の第１の溶液中に浸漬された第１のキャピラリー管と、一端が第２の送液槽内の第１の溶液中に浸漬された第２のキャピラリー管と、一端が相互に連通可能に連結されている第１乃至第３の管部を備え且つ第１及び第２のキャピラリー管のそれぞれの他端が第１及び第２の管部に接続されている第１の三方ジョイント管とを具備している。そして第１及び第２のキャピラリー管の内部にはそれぞれ極性の異なる電荷を保持したゲルが化学結合で内部に固定されており、更に第１及び第２のキャピラリー管の内部に第１の三方ジョイント管に向かう方向の電気浸透流を発生させるように、第１の電極と第２の電極との間にそれぞれ所定の直流高電圧を印加する第１の直流電源を備えている。同様に、第２のポンプユニットは、第２の溶液がそれぞれ入れられた第３及び第４の送液槽と、第３の送液槽内の前記第２の溶液中に浸漬された第３の電極と、第４の送液槽内の第２の溶液中に浸漬された第４の電極と、一端が第３の送液槽内の第２の溶液中に浸漬された第３のキャピラリー管と、一端が第４の送液槽内の第２の溶液中に浸漬された第４のキャピラリー管と、一端が相互に連通可能に連結されている第１乃至第３の管部を備え且つ第３及び第４のキャピラリー管のそれぞれの他端が第１及び第２の管部に接続されている第２の三方ジョイント管とを具備している。また第３及び第４のキャピラリー管の内部にはそれぞれ極性の異なる電荷を保持したゲルが化学結合で内部に固定されており、更に第３及び第４のキャピラリー管の内部に第２の三方ジョイント管に向かう方向の電気浸透流を発生させるように、第３の電極と第４の電極との間にそれぞれ所定の直流高電圧を印加する第２の直流電源を備えている。連結出力管路は、第１及び第２の三方ジョイント管の第３の管部からの出力をそれぞれ合わせて出力するように構成されている。この電気浸透流ポンプでも、第１の電極と第２の電極との間及び第３の電極と第４の電極との間にそれぞれ印加する直流高電圧を印加することにより、第１の溶液と第２の溶液のグラジェント送液を簡単に実現することができる。このポンプでも、第１の直流電源及び第２の直流電源は、別個に電圧調整可能なものを用いるのが好ましい。
【００１３】
また連結出力管路は、一端が相互に連通可能に連結されている第１乃至第３の管部を備えた第３の三方ジョイント管と、第１の三方ジョイント管の第３の管部と、第３の三方ジョイント管の第１の管部とを連結する第１の連結管と、第２の三方ジョイント管の第３の管部と第３の三方ジョイント管の第２の管部とを連結する第２の連結管とから構成することができる。
【００１４】
【発明の実施の形態】
図２は、本発明に係る電気浸透流ポンプ１についての一実施の形態の構成を示すブロック図である。この電気浸透流ポンプ１は、第１の溶液Ａが入れられた第１の送液槽２と、第１の送液槽２内の第１の溶液Ａ中に浸漬された第１の電極３と、第２の溶液Ｂが入れられた第２の送液槽４と、第２の送液槽４内の第２の溶液Ｂ内に浸漬された第２の電極５と、送液路６と直流電源装置７とを備えている。送液路６は、一端が相互に連通可能に連結されている第１乃至第３の管部８ａ乃至８ｃを備え且つ第１乃至第３の管部の内側中心部に先端が配置された第３の電極９を備えた三方ジョイント管８を備えている。第１乃至第３の電極３，５及び９は、それぞれ白金により形成されている。
【００１５】
また送液路６は、一端１０ａが第１の送液槽２内の第１の溶液Ａ中に浸漬され且つ他端１０ｂが三方ジョイント管８の第１の管部８ａの他端に連結された第１のキャピラリー管１０と、一端１１ａが第２の送液槽４内の第２の溶液Ｂ中に浸漬され且つ他端１１ｂが三方ジョイント管８の第２の管部８ｂの他端に連結された第２のキャピラリー管１１とを備えている。第１及び第２のキャピラリー管１０及び１１は、正又は負の電荷を保持したゲルが内部に化学結合で固定されたフューズドシリカキャピラリーチューブにより構成されている。なおこのようなキャピラリー管に代えて、内部にシリカゲルが充填されたキャピラリー管を用いてもよく、また内壁面に電荷を有するポリマーをコーティングしたものを用いることもできる。なお例えば、第１及び第２のキャピラリー管１０及び１１の内径は、７５μｍであるが、本発明はこれに限定されるものではない。
【００１６】
直流電源装置７は、第１及び第２のキャピラリー管１０及び１１内に三方ジョイント管８に向かう方向の電気浸透流を発生させるように、第１の電極３と第３の電極９との間及び第２の電極５と第３の電極９との間にそれぞれ所定の直流高電圧を印加するために、第１及び第２の直流電源ＨＶ１及びＨＶ２を備えている。第１の直流電源ＨＶ１及び第２の直流電源ＨＶ２は、別個に電圧調整が可能なものである。ちなみに印加する直流電圧は例えば最大７ｋV程度の高電圧である。電圧調整を、コンピュータを利用して微細に調整するようにすれば、第１及び第２の溶液Ａ及びＢの混合液に連続的に組成変化をつけて（グラジェントをつけて）、三方ジョイント管８の第３の管部８ｃから混合液を微小量（数１００ｎＬ〜数１００ｐＬ／min）送液することができる。この回路構成では、第３の電極９が共通電極となるように第１及び第２の直流電源ＨＶ１及びＨＶ２が接続されている。すなわち第１及び第２の電極３及び５が正（＋）電極であれば、第３の電極９が負（−）電極になるように、第１及び第２の直流電源ＨＶ１及びＨＶ２が接続されている。このようにする場合には、第１及び第２のキャピラリー管１０及び１１は、共に負の電荷を保持したゲルが内部に化学結合で固定されたフューズドシリカキャピラリーチューブにより構成する。また第１及び第２の電極３及び５が負（−）電極であれば、第３の電極９が正（＋）電極になるように、第１及び第２の直流電源ＨＶ１及びＨＶ２を接続する。このようにする場合には、第１及び第２のキャピラリー管１０及び１１は、共に正の電荷を保持したゲルが内部に化学結合で固定されたフューズドシリカキャピラリーチューブにより構成すればよい。
【００１７】
なお送液を開始する前には、予め第１及び第２のキャピラリー管１０及び１１の内部には、第１及び第２の溶液Ａ及びＢと置換される適宜の被置換液を充填しておき、被置換液を第１及び第２の溶液Ａ及びＢで置換した後に、グラジェント送液を開始する。
【００１８】
図３は、図２に示した実施の形態の電気浸透流ポンプを発展させた電気泳動装置の概略構成を示している。この例では、三方ジョイント管８の第３の管部８ｃに更に第３のキャピラリー管１２を設け、第３のキャピラリー管１２の先端に廃液槽１３を設け、廃液槽１３内に第４の電極１４を設けている。またこの装置は、第３の電極９と第４の電極１４との間に直流高電圧を印加する第３の直流電源ＨＶ３を備えている。この装置では、第３の直流電源ＨＶ３からの電圧印加により、第３のキャピラリー管１２内で電気泳動を発生させて、第３のキャピラリー管１２内で試料分子の分離を行う。
【００１９】
図４は、本発明を適用した他の電気浸透流ポンプ２１の概略構成を示すブロックである。本発明の別の電気浸透流ポンプは、第１のポンプユニットと、第２のポンプユニットと、連結出力管路とから構成される。第１のポンプユニットは、第１の溶液Ａがそれぞれ入れられた第１及び第２の送液槽２２及び２４と、第１の送液槽２２内の第１の溶液Ａ中に浸漬された第１の電極２３と、第２の送液槽２４内の第１の溶液Ａ中に浸漬された第２の電極２５と、一端が第１の送液槽２２内の第１の溶液Ａ中に浸漬された第１のキャピラリー管３０と、一端が第２の送液槽２４内の第１の溶液中Ａに浸漬された第２のキャピラリー管３１と、一端が相互に連通可能に連結されている第１乃至第３の管部２８ａ乃至２８ｃを備え且つ第１及び第２のキャピラリー管３０及び３１のそれぞれの他端が第１及び第２の管部２８ａ及び２８ｂに接続されている第１の三方ジョイント管２８とを具備している。第１及び第２のキャピラリー管３０及び３１の内部にはそれぞれ極性の異なる電荷を含むゲルが化学結合で内部に固定されている。この例では、第１のキャピラリー管３０の内部には、（−）電荷を有するゲルが化学結合で内部に固定されており、第２のキャピラリー管３１の内部には、（＋）電荷を有するゲルが化学結合で内部に固定されている。また第１及び第２のキャピラリー管３０及び３１の内部に第１の三方ジョイント管２８に向かう方向の電気浸透流を発生させるように、第１の電極２３と第２の電極２５との間にそれぞれ所定の直流高電圧を印加する第１の直流電源ＨＶ１１を備えている。
【００２０】
同様に、第２のポンプユニットは、第２の溶液Ｂがそれぞれ入れられた第３及び第４の送液槽３２及び３４と、第３の送液槽３２内の第２の溶液Ｂ中に浸漬された第３の電極３３と、第４の送液槽３４内の第２の溶液中に浸漬された第４の電極３５と、一端が第３の送液槽３２内の第２の溶液Ｂ中に浸漬された第３のキャピラリー管４０と、一端が第４の送液槽３４内の第２の溶液Ｂ中に浸漬された第４のキャピラリー管４１と、一端が相互に連通可能に連結されている第１乃至第３の管部３８ａ乃至３８ｃを備え且つ第３及び第４のキャピラリー管４０及び４１のそれぞれの他端が第１及び第２の管部３８ａ及び３８ｂに接続されている第２の三方ジョイント管３８とを具備している。第３及び第４のキャピラリー管４０及び４１の内部には、それぞれ極性の異なる電荷を含むゲルが化学結合で内部に固定されている。この例では、第３のキャピラリー管４０の内部には、（−）電荷を有するゲルが化学結合で内部に固定されており、第４のキャピラリー管４１の内部には、（＋）電荷を有するゲルが化学結合で内部に固定されている。そして第３及び第４のキャピラリー管４０及び４１の内部に第２の三方ジョイント管３８に向かう方向の電気浸透流を発生させるように、第３の電極３３と第４の電極３５との間にそれぞれ所定の直流高電圧を印加する第２の直流電源ＨＶ１２を備えている。
【００２１】
また連結出力管路は、一端が相互に連通可能に連結されている第１乃至第３の管部５０ａ乃至５０ｃを備えた第３の三方ジョイント管５０と、第１の三方ジョイント管２８の第３の管部２８ｃと、第３の三方ジョイント管５０の第１の管部５０ａとを連結する第１の連結管５１と、第２の三方ジョイント管３８の第３の管部３８ｃと第３の三方ジョイント管５０の第２の管部５０ｂとを連結する第２の連結管５２とから構成することができる。この電気浸透流ポンプ２１でも、第１の電極２３と第２の電極２５との間及び第３の電極３３と第４の電極３５との間にそれぞれ図示の極性の直流高電圧を印加すると印加される直流高電圧に応じて濃度が変わる、第１の溶液Ａと第２の溶液Ｂのグラジェント送液を簡単に実現することができる。このポンプでも、第１の直流電源ＨＶ１１及び第２の直流電源ＨＶ１２は、別個に電圧調整可能なものである。
【００２２】
図４に示すように、第１及び第３の電極２３及び３３を（＋）極とし、第２及び第４の電極２５及び３５を（−）極とする場合には、第１及び第３のキャピラリー管３０及び４０には、（−）電荷を有するゲルを固定した流路を、そして、第２及び第４のキャピラリー管３１及び４１には、（＋）電荷を有するゲルを固定した流路を用いる。各電極の極性を逆にする場合には、固定ゲルの電荷も逆になる。
【００２３】
なお上記図４に示した構造の試験のために、第１及び第３のキャピラリー管３０及び４０として、内径７５μｍのフューズドシリカキャピラリーを使用した。そして、予め、ダイナミックコーティング法でアリル基を導入した管内で、５０ｍＭのリン酸緩衝液ｌｍＬ中に、０．８ｍｍｏｌのメタクリルアミド、０．２ｍｍｏｌのアリルスルフォン酸ナトリウム塩、０．６ｍｍｏｌのピペラジンジアクリルアミド、７０ｍｇの硫酸アンモニウムを含むモノマー水溶液を、ベルオキソニ硫酸アンモニウムとＮ，Ｎ，Ｎ′，Ｎ′−テトラメチルエチレンジアミンからなる開始剤系を用いて重合させて、（−）電荷を有するゲルを得て、第１のキャピラリー管３０及び４０を作成した。同様に、管内で、０．４ｍｍｏｌのピペラジンジアクリルアミド、０．２ｍｍｏｌのジアリルジメチルアンモニウムクロライド、１．０ｍｍｏｌのメタクリルアミド、７０ｍｇの硫酸アンモニウムを含むモノマー水溶液を重合させ、（＋）電荷を有するゲルを得て、第２及び第４のキャピラリー管３１及び４１を作成した。そして第１乃至第４のキャピラリー管３０，３１，４０及び４１の長さをそれぞれ６ｃｍとし、第３の三方ジョイント管５０の第３の管部５０ｃに、検出用のウインドウを設けたフューズドシリカキャピラリーを可視紫外分光計に取り付けたキャピラリー管を繋げ、このキャピラリー管を一端はずし、第１の三方ジョイント管２８側に１％チオ尿素水溶液を落差法で導入して繋ぎ直し、各電極間に所定の電圧（０．５〜３．０ｋＶの範囲）を印加した。その結果、電気浸透流発生効率が、１ｋＶｌｃｍ当たり１０ｃｍ／ｍｉｎの線流速が得られることが確認できた。
【００２４】
【発明の効果】
本発明の第１の電気浸透流ポンプによれば、第１の電極と第３の電極との間及び第２の電極と第３の電極との間にそれぞれ印加する直流高電圧を任意に調整することにより、簡単な構成で、第１の溶液と第２の溶液との混合比率を連続的に変えた混合液を微小量送液することができる利点がある。
【００２５】
また本発明の第２の電気浸透流ポンプによれば、２台のポンプユニットを用いることにより、大きなパワーでグラジェント送液を行うことができる。
【００２６】
また本発明の構成によれば、ポンプの全体形状をカセットテープのケース程度の大きさまたはそれ以下の大きさまで小形化することができる。
【図面の簡単な説明】
【図１】  （Ａ）及び（Ｂ）は、それぞれ従来の電気浸透流ポンプの構成を示す図である。
【図２】  本発明に係る電気浸透流ポンプについての一実施の形態の構成を示すブロック図である。
【図３】  図２に示した実施の形態の電気浸透流ポンプを発展させた電気泳動装置の概略構成を示している。
【図４】  本発明を適用した他の電気浸透流ポンプの概略構成を示すブロック図である。
【符号の説明】
１  電気浸透流ポンプ
２  第１の送液槽
３  第１の電極
４  第２の送液槽
５  第２の電極
６  送液路
７  直流電源装置
８ａ〜８ｃ  第１乃至第３の管部
８  三方ジョイント管
９  第３の電極
１０  第１のキャピラリー管
１１  第２のキャピラリー管
ＨＶ１  第１の直流電源
ＨＶ２  第２の直流電源
【図１】
0003842677.tif 000002
【図２】
0003842677.tif 000003
【図３】
0003842677.tif 000004
【図４】
0003842677.tif 000005